(57)【要約】【課題】動力源としての電池、モータや歯車などの機械的な機構を必要とせず、いつでも動作可能であるとともにその動作が静かでユーザーの心を癒すことができる動作玩具を提供すること。【解決手段】基台１と該基台１上で揺動する揺動部材２とからなる動作玩具において、上記揺動部材２の下部には支軸１１を設け、該支軸１１を上記基台１の内部に回動可能に軸支させるとともに、上記揺動部材２の下端には磁石５を設け、上記基台１の内部には上記磁石５に対応する位置にコイル２８を配置され、該コイル２８を上記磁石５に反発するように間欠的に励磁した。【選択図】図１
2005058417.tif 000002
【特許請求の範囲】
【請求項１】
基台と該基台上で揺動する揺動部材とからなる、以下の要件を備えることを特徴とする動作玩具。
（イ）上記揺動部材の下部には支軸が設けられ、該支軸は上記基台の内部に回動可能に軸支されていること
（ロ）上記形象部材の下端には磁石が設けられるとともに、上記基台の内部には上記磁石の下方にコイルが配置され、該コイルは上記磁石に反発するように間欠的に励磁されること
【請求項２】
前記基台には前記揺動部材の揺動を停止させるとともに固定する固定手段を設け、該固定手段は揺動部材を揺動の中心で固定する、請求項1記載の作動玩具。
【請求項３】
前記揺動部材は花を模して形成された形象体と、茎を模して形成された軸体とから構成され、上記形象体は前記固定手段による揺動部材の固定に連係して花弁が閉じるようになっている、請求項１又は２記載の動作玩具。
【発明の詳細な説明】
【技術分野】
【０００１】
本発明は、動作玩具、詳しくはソーラーバッテリーを駆動源として揺動部材を揺動させる動作玩具に関するものである。
【背景技術】
【０００２】
鑑賞を目的とした動作玩具として様々なものが提案され実用に供されている。本出願人による動作玩具の一つとして鑑賞物がある（例えば、特許文献１）。
【０００３】
この鑑賞玩具は、植木鉢様の基台の上に蝶の形状をした飾り部材を配置し、この飾り部材が動作するようにしたものである。
【特許文献１】特公平５−５０９９８号公報
【発明の開示】
【発明が解決しようとする課題】
【０００４】
本発明が解決しようとする問題点は、上述の鑑賞物の場合、飾り部材を動かす動力源はモータであり、このモータを動作させるためには電源電池を必要とするもので、電池がなくなれば必然的に動作しなくなるものであった。また、モータの回転を飾り部材の動作に変換するためには歯車などの機械的な機構が必要になり、モータの回転音や機構の作動音がするため静かな環境では耳障りになり心を癒す際の障害になる問題もあった。
【０００５】
本発明は、上記問題点を解決し、動力源としての電池、モータや歯車などの機械的な機構を必要とせず、いつでも動作可能であるとともにその動作が静かでユーザーの心を癒すことができる動作玩具を提供することをその課題とする。
【課題を解決するための手段】
【０００６】
前記課題を解決するために本発明に係る動作玩具は、基台と該基台上で揺動する揺動部材とからなる、以下の要件を備えることを特徴とする。
（イ）上記揺動部材の下部には支軸が設けられ、該支軸は上記基台の内部に回動可能に軸支されていること
（ロ）上記形象部材の下端には磁石が設けられるとともに、上記基台の内部には上記磁石の下方にコイルが配置され、該コイルは上記磁石に反発するように間欠的に励磁されること
【０００７】
なお、前記基台には前記揺動部材の揺動を停止させるとともに固定する固定手段を設け、該固定手段は揺動部材を揺動の中心で固定することが好ましい。
【０００８】
また、前記揺動部材は花を模して形成された形象体と、茎を模して形成された軸体とから構成され、上記形象体は前記固定手段による揺動部材の固定に連係して花弁が閉じるようにすればよい。
【発明の効果】
【０００９】
請求項１の発明によれば、モーターや歯車などの機械的な機構を必要としないため動作音が気になることがなく心を癒す動作玩具を実現することができる。
【００１０】
請求項２の発明によれば、光が当たっているときには止まることはないので、電源スイッチをＯＦＦするように固定手段で揺動部材の揺動を停止させることができるとともに、固定した状態では揺動部材が揺動の中心で固定されているので、一つずつパッケージに入れる際、入れ安いし、パッケージ内で動くこともないのでパッケージの内壁に当たって生じる商品の損傷を防止することができる。
【００１１】
請求項３の発明によれば、揺動部材が揺動しているときには花弁が開き、揺動部材を揺動しないように固定すると、その固定に連係して花弁が閉じて別の表情を表すことができ、動作しているときも停止しているときも動作玩具を楽しむことができる。
【発明を実施するための最良の形態】
【００１２】
基台と該基台上で揺動する揺動部材とからなる動作玩具において、上記揺動部材の下部には支軸が設けられ、該支軸は上記基台の内部に回動可能に軸支され、上記形象部材の下端には磁石が設けられるとともに、上記基台の内部には上記磁石の下方にコイルが配置され、該コイルは上記磁石に反発するように間欠的に励磁され、揺動部材がコイルと磁石との反発力のみで歯車やモータなどの機構を一切設けることなく揺動が持続するようにすればよい。
【実施例１】
【００１３】
図１は本発明に係る動作玩具の一例を示し、この動作玩具は基台１の上で揺動部材２が左右に揺動するもので、揺動部材２は花を模して形成されている。
【００１４】
揺動部材２は花を模して形成された形象体３と、この形象体３を支持するとともに花の茎を模して形成された中空の軸体４と、上記基台１の内部に配置され磁石５を保持する保持体６とで構成され、上記軸体４の内部にはワイヤー７が挿通され、このワイヤー７の先端は形象体３を構成する花弁８を開閉させる開閉機構９に連係し、下端は磁石５を保持する保持体６内を上下動可能に配置された作動軸１０に固定されている。
【００１５】
保持体６は前後に突出した支軸１１が後述する支持部材２４、２５に形成された軸受３１、３２に軸支され、この支軸１１を中心に保持体６（揺動部材２）は左右に揺動できるようになっており、底部には磁石５を嵌め込む嵌合凹部１２が形成されている。
【００１６】
作動軸１０は中心が上下に貫通し、この貫通孔には上記ワイヤー７の下端が挿通されるとともに接着剤やネジなどの適宜固定手段で固定され、作動軸１０の上下動はワイヤー７を介して上記開閉機構９を動作させるようになっている。そして、作動軸１０の両側面には係合軸１３がそれぞれ突出形成され、後述する操作レバー３５の操作により係合軸１３を押し下げることにより作動軸１０を押し下げることができるようになっている。
【００１７】
開閉機構９は可撓性を有する樹脂で形成された円板の周縁が切りかかれて花びらを模して形成された花弁８を開いたり閉じたりさせるもので、軸体４の上端に設けられて周縁が突設して周壁１５ａが形成された皿状の支持円板１５と、頭花を模して形成された円板状の作動板１６とで構成され、支持円板１５の中央には方形の開口部１７が形成され背面には開口部１７に連接して逆台形状のガイド部１８が形成されている。そして、作動板１６の背面には平面視コ字状で背面側の壁面１９ａが下方に向かって内側に肉厚に形成されたガイド部１９が一体に形成され、このガイド部１９は花弁８の中央に形成された方形の開口部２０を貫通し、さらに支持円板１５の開口部１７を貫通し、支持円板１５のガイド部１８の上に重なるように配置されている。
【００１８】
重なったガイド部１８、１８にはワイヤー７の上端に固定された楔状の抜け止め部材２１が挿入され、抜け止め部材２１が下降すると作動板１６のガイド部１９の壁面１９ａを後方に押し出し、作動板１６が花弁を支持円板１５に押し付けるように作動するので、花弁８は支持円板１５の周壁１５ａで折り曲げられて前方に湾曲させられて恰も花びらが閉じたように見せることができるようになっている。
【００１９】
基台１はケース体２２（２２ａ、２２ｂ）に揺動部材２を支持する支持部材２４、２５と、揺動部材２の揺動を停止させるとともに固定する固定手段２７と、揺動部材２の下端に取り付けられた磁石５に反発するように励磁されるコイル２８と、このコイル２８に周期的に励磁電流を流す制御回路２９と、電源となるソーラーパネル３０とが配置されている。
【００２０】
支持部材２４，２５は側面視略Ｌ字状に曲折して形成された板状部材で、立板２４ａ、２５ａが対向するようにケース体２２の底部に固定され、上部には上記揺動部材２の支軸１１を軸支する軸受３１、３２が形成されている。
【００２１】
固定手段２７はケース体２２の背面側に配置されるとともに前後に回動可能に軸支された側面視略Ｌ字状の操作レバー３５と、ケース体２２の内部に上下に回動可能に配置されるとともに後部が上記操作レバー３５の係合板３５ａ上に係合するように配置された２つのレバー３６、３６とで構成され、操作レバー３５を後方に回動させると係合板３５ａ上に係合したレバー３６の後端３６ａが持ち上げられるのでレバー３６は前端３６ｂが下がるように回動し、この前端３６ｂは後述する作動軸１０に形成された係合軸１３を押し下げるようになっている。
【００２２】
図４は、動作玩具の電気的概要を説明するブロック図を示し、ソーラーパネル３０で誘起された電力は周知の制御回路２９でパルス電流に変換されて出力され、このパルス電流がコイル２８に流れると、コイル２８は間欠的に励磁され、励磁時には保持体６の先端に取り付けられた磁石５と反発しあうようになっている。
【００２３】
上記構成の動作玩具によれば、ソーラーパネル３０に光が当たり、ソーラーパネル３０が電気を誘起すると、制御回路２９から出力されるパルス電流によりコイル２８が間欠的に励磁される。
【００２４】
コイル２８が励磁されると保持体６の先端に取り付けられた磁石５はコイル２８と反発して保持体６（揺動部材２）は、図１上で、支軸を中心に反時計方向に回動し、コイル２８の励磁がなくなると時計方向に復帰回動するので、コイル２８の励磁に併せて揺動部材２は連続的に左右に揺動するようになる。
【００２５】
一方、この揺動部材２の揺動を停止し、固定する場合は、図５（ｂ）に示すように、操作レバー３５を、後方に回動する。操作レバー３５が後方に回動すると係合板３５ａがレバー３６の後端３６ａを押し上げるので、レバー３６は前端３６ｂが下がる方向に回動することになる。このとき、レバー３６の前端３６ｂは作動軸１０の両側に形成された係合軸１３に係合するとともにこれを下方に押し下げるので、作動軸１０自体が下降することになる。この作動軸１０にはワイヤー７の下端が固定され、このワイヤー７の上端には抜け止め部材２１が固定されているので、ワイヤー７を介して抜け止め部材２１が強制的に引き下ろされることになる。
【００２６】
図５（ｃ）に示すように、操作レバー３５をさらに回動させると、係合板３５ａとレバー３６の後端３６ａとが突き合わされてレバー３６がロック状態になり、揺動部材２が垂直状態で停止するとともに、抜け止め部材２１が最大限下がるので、作動板１６がさらに後方に引き寄せられ、作動板１６の周面と支持円板１６の周壁１５ａとで花弁８が内側に向かって折り曲げられ、恰も花びらが閉じたようにすることができる。
【００２７】
操作レバー３５を、図５（ａ）に示すように、元に戻すとレバー３６の強制的な押し下げが解除され、レバー３６による係合軸１３の押し下げがなくなるので、作動軸１０（保持体６）がフリーになり、ソーラーパネル３０に光が当たっている状態では継続してコイル２８が間欠的に励磁されているので揺動部材２は揺動を開始し、以前と同じように継続して揺動することになる。
【００２８】
上述したように、本発明の動作玩具には電池や、モータなどを備えていないため電源スイッチを設ける必要はないが、揺動玩具の揺動を止めるために制御回路２９とソーラーパネル３０との間にスイッチを設けても構わないが、電池が消耗するわけでもないのであえてスイッチを設ける必要がない。しかし、何らかの理由で揺動玩具を停止させる必要が生じたときには、電源の供給を停止するのではなく揺動玩具を固定するようにしたので、作動させないときの取り扱いが煩雑にならず、梱包や保管時などに最適な動作玩具を提供することができる。
【図面の簡単な説明】
【００２９】
【図１】本発明に係る動作玩具の一例を示す正面図
【図２】上記動作玩具の形象体の構造を説明する分解斜視図
【図３】上記動作玩具の基台の内部を説明する分解斜視図
【図４】上記動作玩具の電気的概要を説明するブロック図
【図５】（ａ）〜（ｃ）は上記動作玩具の揺動部材の固定状態を説明する要部断面側面図
【符号の説明】
【００３０】
１    基台
２    揺動部材
３    形象体
５    磁石
２７    固定手段
２８    コイル
【図１】
2005058417.tif 000003
【図２】
2005058417.tif 000004
【図３】
2005058417.tif 000005
【図４】
2005058417.tif 000006
【図５】
2005058417.tif 000007